(57)【要約】【課題】装着される穿刺装置の外表面を清浄に保ち、外観が損なわれることを防止するとともに洗浄の手間を軽減する。【解決手段】穿刺針チップ１０ａは、穿刺装置を兼ねる血液成分測定装置１２の先端に設けられた装着穴１００に着脱自在である。穿刺針チップ１０ａは、ハウジング１４及び穿刺針３４を備え、穿刺針３４による穿刺箇所の周囲の皮膚に当接する当接部２３と、血液成分測定装置１２に装着したときに、装着された周辺の外表面１２ａを覆うカバー２２とを有する。【選択図】図６
2007044436.tif 000002
【特許請求の範囲】
【請求項１】
ハウジング及び穿刺針を備え、穿刺装置に対して着脱自在な穿刺針チップであって、
前記穿刺針による穿刺箇所の周囲の皮膚に当接する当接部と、
前記穿刺装置に装着したときに、装着された周辺の外表面を覆うカバーと、
を有することを特徴とする穿刺針チップ。
【請求項２】
請求項１記載の穿刺針チップにおいて、
前記カバーは反転し、前記穿刺装置から抜き取る際に、前記当接部を覆うことを特徴とする穿刺針チップ。
【請求項３】
チップ装着部、及び該チップ装着部の端部に設けられ、穿刺箇所の周囲の皮膚に当接する当接部を備える穿刺装置に対して、前記チップ装着部に着脱自在な穿刺針チップであって、
穿刺針と、
前記穿刺針を内部に移動可能に保持するハウジングと、
前記穿刺装置に装着したときに、少なくとも前記当接部における前記皮膚に対する接触面を覆うカバーと、
を有することを特徴とする穿刺針チップ。
【請求項４】
請求項１〜３のいずれか１項に記載の穿刺針チップにおいて、
前記カバーは柔軟性及び伸縮性を有するスカート形状であり、一端が前記ハウジングに固定され、固定された箇所を基準として他端が反転することを特徴とする穿刺針チップ。
【請求項５】
請求項４記載の穿刺針チップにおいて、
前記カバーはプリーツ構造又は蛇腹構造を有し、前記穿刺針チップが包装容器に収納されているときには、プリーツ又は蛇腹が閉じて収縮した形状であり、前記包装容器から取り出したときに、プリーツ又は蛇腹が開いて前記スカート形状になることを特徴とする穿刺針チップ。
【請求項６】
請求項１〜３のいずれか１項に記載の穿刺針チップにおいて、
前記カバーは、ハウジングの先端部に設けられ、薄く広い円形で柔軟性及び伸縮性を有する膜状部材からなり、外周部が多重に巻かれていることを特徴とする穿刺針チップ。
【請求項７】
請求項１〜６のいずれか１項に記載の穿刺針チップにおいて、
採取された体液の成分に反応するセンサー部を有することを特徴とする穿刺針チップ。
【請求項８】
請求項７記載の穿刺針チップにおいて、
前記穿刺装置は、前記センサー部で測定された信号に基づいて体液の成分値を測定する測定部を有することを特徴とする穿刺針チップ。
【発明の詳細な説明】
【技術分野】
【０００１】
本発明は、血液中のブドウ糖等の成分を測定するために皮膚に対して穿刺を行う穿刺装置に用いられる穿刺針チップに関する。
【背景技術】
【０００２】
糖尿病患者には、血糖値の変動を自分自身で測定することによる日常的な自己管理が推奨されている。血糖値の測定は、血液中のブドウ糖量に応じて呈色する試薬が含浸された試験紙等の測定部を設け、該試験紙に血液を供給して呈色させ、その呈色の度合いを光学的に測定することにより血糖値を求めて表示をする血液成分測定装置が実用化されている。また、電気化学センサーを用いた血液成分測定装置も実用化されている。
【０００３】
一方、患者が自分の血液を採取する際には、軸方向に進退可能な穿刺針を備える穿刺針チップが装着された穿刺装置を用いる。穿刺針チップは穿刺装置に対して着脱自在であって、内部の穿刺針に対して弾性体による反発力を与えて瞬間的に突出させて該穿刺針が皮膚（例えば、指、てのひら、腕等）を穿刺し、すぐさま所定の戻り機構によって穿刺針は後退する。穿刺後には血液を微量流出させ、測定に供される。なお、この穿刺装置に関し、前記血液成分測定装置と一体化されたものも開発されている。
【０００４】
穿刺針チップの内部の穿刺針は使用時まで清潔に保たれていることが望ましく、内腔部の先端を覆う蓋体が嵌合された穿刺針チップが提案されている（例えば、特許文献１参照）。
【０００５】
【特許文献１】特開２００４−２６７６５４号公報
【発明の開示】
【発明が解決しようとする課題】
【０００６】
ところで、穿刺針チップは１度使用した後に廃棄されるが、穿刺装置はその都度穿刺チップを装着して使用するものであって、装置寿命は相当に長い。したがって、長期の使用にともなって装置の外表面には汚れが付着することがあり、定期的な洗浄が推奨される。特に、穿刺箇所に近い部位の外表面には、穿刺による血液が付着することがあり、外観が損なわれるとともに衛生上も好ましくない。
【０００７】
本発明はこのような課題を考慮してなされたものであり、装着される穿刺装置の外表面を清浄に保つことのできる穿刺針チップを提供することを目的とする。
【課題を解決するための手段】
【０００８】
本発明に係る穿刺針チップは、ハウジング及び穿刺針を備え、穿刺装置に対して着脱自在な穿刺針チップであって、前記穿刺針による穿刺箇所の周囲の皮膚に当接する当接部と、前記穿刺装置に装着したときに、装着された周辺の外表面を覆うカバーとを有することを特徴とする。
【０００９】
このように、穿刺針チップにカバーを設けることにより装着部周辺における外表面を清浄に保つことができる。なお、該カバーは外表面に対して密着している必要はなく、穿刺箇所の周囲の皮膚に対して外表面を遮るものであればよい。
【００１０】
この場合、前記カバーは反転し、前記穿刺装置から抜き取る際に、前記当接部を覆う構成とすることにより、汚れた当接部に触れることがない。
【００１１】
また、本発明に係る穿刺針チップは、チップ装着部、及び該チップ装着部の端部に設けられ、穿刺箇所の周囲の皮膚に当接する当接部を備える穿刺装置に対して、前記チップ装着部に着脱自在な穿刺針チップであって、穿刺針と、前記穿刺針を内部に移動可能に保持するハウジングと、前記穿刺装置に装着したときに、少なくとも前記当接部における前記皮膚に対する接触面を覆うカバーとを有することを特徴とする。
【００１２】
この発明による場合も、穿刺針チップにカバーを設けることにより装着部周辺における外表面を清浄に保つことができる。
【００１３】
また、前記カバーは柔軟性及び伸縮性を有するスカート形状であり、一端が前記ハウジングに固定され、固定された箇所を基準として他端が反転可能な構成とするとよい。このような構成により、穿刺針チップを穿刺装置に装着している際には、カバーによって外表面を確実に覆うことができ、穿刺針チップを脱着する際にはカバーを裏返し、ハウジングと逆の方向に延出させて当該カバーを把持して容易な脱着が可能となる。
【００１４】
前記カバーはプリーツ構造又は蛇腹構造を有し、前記穿刺針チップが包装容器に収納されているときには、プリーツ又は蛇腹が閉じて収縮した形状であり、前記包装容器から取り出したときに、プリーツ又は蛇腹が開いて前記スカート形状となるように構成してもよい。これにより、包装容器を小型に構成することが可能となり、収納及び携帯に好適である。
【００１５】
前記カバーは、ハウジングの先端部に設けられ、薄く広い円形で柔軟性及び伸縮性を有する膜状部材からなり、外周部が多重に巻かれているものでもよい。このようなカバーは外周の巻取部を引きながら拡開させることにより、外表面に密着して確実に覆うことができる。
【００１６】
また、本発明に係る穿刺針チップは、採取された体液の成分に反応するセンサー部を有するものであってもよい。前記穿刺装置は、前記センサー部で測定された信号に基づいて体液の成分値を測定する測定部を有するものであってもよい。
【発明の効果】
【００１７】
本発明に係る穿刺針チップによれば、装着される穿刺装置の外表面への血液等の付着を妨げ、外表面を清浄に維持することができる。
【発明を実施するための最良の形態】
【００１８】
以下、本発明に係る穿刺針チップについて第１〜第３の実施形態を挙げ、添付の図１〜図１３を参照しながら説明する。血液成分測定装置１２は血液中のブドウ糖等の成分又はその成分量（以下、血液中のブドウ糖量を血糖値という。）を測定及び表示するものであり、穿刺針チップ１０ａは血液成分測定装置（穿刺装置）１２に装着して用いられる。血液成分測定装置１２は血液成分の測定に先立って皮膚に穿刺を行う穿刺装置を包含している。
【００１９】
図１及び図２に示すように、血液成分測定装置１２は携帯に適した小型・軽量の装置であって、先端部に穿刺針チップ１０ａが装着される装着穴１００が設けられている。穿刺針チップ１０ａは、個包装体５０（図５参照）によって収納されている。このうち、先ず穿刺針チップ１０ａについて説明する。
【００２０】
図３及び図４に示すように、穿刺針チップ１０ａは、円筒型のハウジング１４と、該ハウジング１４内で軸方向に進退可能な穿刺針ユニット１８と、ハウジング１４の外側面に設けられた試験紙ホルダー２０と、血液成分測定装置１２に装着したときに、装着された周辺の外表面を覆うカバー２２とを有する。
【００２１】
ハウジング１４の先端部には、測定時に測定者の皮膚１８０（図２参照）における穿刺箇所Ｐの周囲の皮膚に当接する環状の当接部２３が設けられている。該当接部２３は、正面視ほぼ円形で中心に向かって緩やかに縮径するテーパ部が形成され、てのひらや指の側面に当接させやすく、しかも縮径形状により中心部の皮膚を適度に盛り上がらせて穿刺時に血液の流出を適度に促進させることができる。
【００２２】
ハウジング１４の内壁面１４ａの一部からは、穿刺箇所Ｐの近傍に向かって血液導入ガイド２４が延在している。試験紙ホルダー２０は四角板の小片であり、上部の円形凹部には所定の試薬が含浸された試験紙（センサー部）２８が固定されている。試験紙２８の材質としは、例えば、ポリエーテルスルホンが挙げられる。試薬としては、例えば、グルコースオキシターゼ（ＧＯＤ）、ペルオキシターゼ（ＰＯＤ）、４−アミノアンチピリン、Ｎ−エチル−Ｎ−（２−ヒドロキシ−３−スルホプロピル）−ｍ−トルイジン等の発色剤が挙げられる。また、試薬には所定の緩衝剤が含まれていてもよい。また、測定部としては電気化学センサーを用いることもできる。
【００２３】
試験紙ホルダー２０は四角板の小片であり、ハウジング１４の外側面における所定の嵌合部に嵌合され、融着（例えば、超音波融着）されている。試験紙ホルダー２０は嵌合部に嵌合されることにより、その下面がハウジング１４の側面における微細な溝を覆い、血液流通路２６を形成している。この血液流通路２６は、内壁面１４ａにおける血液導入ガイド２４の基端部近傍に開口する微小孔２６ａと試験紙ホルダー２０の中央に設けられた微小孔２６ｂとを含む。血液流通路２６は、血液を毛管現象により吸い上げる程度に十分細径に設定されており、血液導入ガイド２４に接触した血液を試験紙２８まで導入する。
【００２４】
穿刺針ユニット１８は、先端の穿刺針３４と、該穿刺針３４を保持する支持部材３６と、該支持部材３６の後端部に接続されたハブ３８とを有する。支持部材３６の外径はハウジング１４の中程の小径部１６ａにおける内径と略同一であって、ハブ３８の外径はハウジング１４の後方の大径部１６ｂにおける内径と略同一である。ハブ３８の後方面には、後述するプランジャ１０６に係合する被把持突起３８ａが設けられている。
【００２５】
カバー２２はスカート形状であり、一端２２ａがハウジング１４に固定され、固定された箇所を基準として他端２２ｂが反転する構造となっている（図７参照）。カバー２２はプリーツ構造（ひだ構造）を有し、穿刺針チップ１０ａが個包装体５０（図５参照）に収納されているときには、プリーツが閉じて収縮した形状であり、個包装体５０から取り出したときに、プリーツが開いてスカート形状になる。プリーツ構造は筋が軸方向に延在するタイプである。
【００２６】
カバー２２の材質としては、例えば、ポリエチレン、ポリプロピレン、ポリアミド、ポリ塩化ビニル、ポリエステル、シリコンゴム、エラストマー及び紙等を挙げることができ、柔軟性及び伸縮性を有する材質であることが望ましい。なお、カバー２２はプリーツ構造に限らず蛇腹構造であってもよい。
【００２７】
図５に示すように、個包装体５０は、有底の穴５２ａを有するケース５２と、該ケース５２の開口部側を塞ぐキャップ５４とを有する。ケース５２及びキャップ５４は樹脂成形体であり適度な強度を有する。ケース５２の穴５２ａは折り畳んだカバー２２が挿入されるだけの深さを有する。また、ケース５２の底からは支持バー５２ｂが突出してハウジング１４の側面を支持し、穿刺針チップ１０ａは挿入時に安定する。
【００２８】
キャップ５４は、ケース５２に対して螺合又は軽い圧入状態で係合しており、ケース５２の開口端面又は圧入面との当接によりシールされ、内部を気密に保つ。これにより、穿刺針チップ１０ａは大気に露呈することがなく、穿刺針３４に対する菌の付着や、湿気や酸素による試験紙２８の反応試薬の劣化を防止することができる。キャップ５４は人手により容易に取り外すことができる。
【００２９】
キャップ５４の中心部からは、底の方向に向かって栓体５６が突出して設けられており、該栓体５６はハウジング１４における先端の中心孔３０に嵌合している。この栓体５６により、穿刺針３４が存在する空間部５８は、菌不透過性が保たれ、穿刺針３４の滅菌状態が維持される。
【００３０】
また、カバー２２はプリーツ構造を有していることから、収縮させて個包装体５０に収納することができ、個包装体５０を小型に構成することが可能となり、収納及び携帯に好適である。
【００３１】
図２に戻り、血液成分測定装置１２は、先端側の機構部１０２と、後端側の制御部１０４とを有する。
【００３２】
機構部１０２は、内部シリンダ部１０５内を摺動可能なプランジャ１０６と、該プランジャ１０６の後端側に設けられた駆動用コイルスプリング１０８と、先端側に設けられた戻し用コイルスプリング１１０と、プランジャ１０６と同軸に接続されて前方に延在する把持バー１１２と、プランジャ１０６の上部から前方に向かって延在する弾性片１１４とを有し、穿刺針３４を進退駆動する。
【００３３】
把持バー１１２の先端には、穿刺針チップ１０ａにおけるハブ３８の被把持突起３８ａを把持することができる弾性的に拡開可能な２本の挟持材１１６が設けられている。弾性片１１４は、上方に向けて弾性付勢されており、プランジャ１０６の移動にともなって先端の係合ノブ１２０が天井面１２２に対して摺動移動し、又は上面に開口した係合孔１２４に係止される。係合孔１２４の上面はメンブレンシート及び下方に突出した突起部からなる穿刺ボタン１２６で覆われている。
【００３４】
装着穴１００に穿刺針チップ１０ａを挿入し、押し込むことにより、駆動用コイルスプリング１０８を圧縮しながらプランジャ１０６が一体的に後方に移動し、同時にハブ３８の被把持突起３８ａが２本の挟持材１１６の間にはまり込み、把持される。駆動用コイルスプリング１０８を十分に圧縮するまでプランジャ１０６が移動したとき、係合ノブ１２０が係合孔１２４に係止され、プランジャ１０６が固定される。
【００３５】
また、別の方法により穿刺針チップ１０ａを装着することも可能である。すなわち、プランジャ１０６は両側面の復帰レバー１２８（図１参照）と連結されており、該復帰レバー１２８を後方に引くことにより、駆動用コイルスプリング１０８を圧縮しながらプランジャ１０６が一体的に後方に移動する。駆動用コイルスプリング１０８を十分に圧縮する位置までプランジャ１０６が移動したとき、係合ノブ１２０が係合孔１２４に係止され、プランジャ１０６が固定される。このようにプランジャ１０６が後方に移動し、固定された状態で装着穴１００に穿刺針チップ１０ａを装着すると、ハブ３８の被把持突起３８ａが２本の挟持材１１６の間にはまり込み、把持される。
【００３６】
さらに、機構部１０２には光学測定部（測定部）１３０が設けられており、制御部１０４に接続されている。光学測定部１３０は装着された穿刺針チップ１０ａにおける試験紙２８と対向する位置に設けられており、制御部１０４の作用下に制御され、発光素子（発光ダイオード等）、受光素子（フォトダイオード等）及び増幅部を備えている。穿刺針チップ１０ａを装着穴１００に装着した状態で発光素子から照射された光は試験紙２８で反射され、その反射光は受光素子で受光され、光電変換される。受光素子からは、受光光量に応じたアナログ信号が出力され、増幅部で適度に増幅された後に制御部１０４へ供給される。機構部１０２には、穿刺時における穿刺針３４の突き出し量を調整する機構（例えば、ダイヤル調整によるストッパ高さの調整機構）を設けてもよい。
【００３７】
制御部１０４は、電気的に統括的な制御を行う制御基板（測定部）１５０と、測定された血液成分を表示する液晶モニタ１５２と、電源スイッチ１５４と、該電源スイッチ１５４の操作に連動して電力の供給、停止を行う電池１５６と、スイッチ部１６９とを有する。
【００３８】
制御基板１５０は、光学測定部１３０と信号線を介して接続されており、発光素子を適切なタイミングで発光させ（例えば、間欠的にパルス発光させ）、受光素子から供給されるアナログ信号をＡ／Ｄ変換器によりデジタル信号に変換して取得し、データ解析を行うことができる。制御基板１５０では、取得したデジタル信号に基づき、受光光量及びその変化率等に基づいて所定の演算処理を行い、また、必要に応じ補正計算（例えば、所定の温度センサーによって得られた周囲温度に基づく補正計算）を行って、血液中の血糖値を求める。求めた血糖値は液晶モニタ１５２に表示し、測定者に知らせる。
【００３９】
次に、このように構成される穿刺針チップ１０ａ及び血液成分測定装置１２の作用について説明する。
【００４０】
先ず、ケース５２から穿刺針チップ１０ａを取り出す。取り出された穿刺針チップ１０ａのカバー２２は、他端２２ｂがケース５２から開放されて適度に広がり、略円錐台形となる。
【００４１】
次いで、穿刺針チップ１０ａを装着穴１００に挿入してプランジャ１０６を移動させ、係合ノブ１２０を係合孔１２４に係合させることによりプランジャ１０６を係止させる。これにより、被把持突起３８ａが把持バー１１２の挟持材１１６によって把持、固定され、ハウジング１４の外周面は装着穴１００に接触して適度な摩擦力により固定される。このとき、電源スイッチ１５４をオンにすることにより光学測定部１３０が制御部１０４の作用下にパルス的な投光を開始する。
【００４２】
また、図６に示すように、カバー２２の内側の一部が血液成分測定装置１２の先端部に接触し、カバー２２はさらに適度に拡開し、装着された周辺の外表面１２ａを覆う。なお、穿刺針チップ１０ａを装着する際には、当接部２３の外周部を把持しながらでもよいし、カバー２２の向きを折り返して逆にした状態（図７参照）で該カバー２２を把持しながら装着してもよい。
【００４３】
次いで、測定者は、穿刺針チップ１０ａの当接部２３を測定者の皮膚（例えば、指、てのひら、腕等）１８０（図２参照）に押し当て、穿刺ボタン１２６を介して係合ノブ１２０を押し下げる。これにより、穿刺ボタン１２６の突起が係合ノブ１２０を押し下げて係合孔１２４との係合状態が解除され、プランジャ１０６は駆動用コイルスプリング１０８によって弾性付勢され前方へ勢いよく駆動され、把持バー１１２を介して穿刺針ユニット１８を押し出す。
【００４４】
穿刺針ユニット１８の先端部に設けられた穿刺針３４は、中心孔３０を越え、当接部２３付近まで押し出され、皮膚１８０を穿刺する。このとき、プランジャ１０６は勢いよく移動することから、瞬間的に戻し用コイルスプリング１１０を適度に圧縮している。したがって、該戻し用コイルスプリング１１０が元の長さに復帰する弾性力によってプランジャ１０６は即時に後方に押し戻され、結局、プランジャ１０６は駆動用コイルスプリング１０８と戻し用コイルスプリング１１０の弾性力が釣り合う位置まで戻されて停止することになる。
【００４５】
穿刺針３４によって穿刺された穿刺箇所Ｐからは血液が流出する。流出した血液は、血液導入ガイド２４及び血液流通路２６を通って試験紙２８まで導入され、該試験紙２８に含浸し、試薬に反応して血中のブドウ糖量に応じて呈色する。
【００４６】
このとき、カバー２２は、穿刺箇所Ｐの周囲の皮膚に対して外表面１２ａを遮る位置に配置されていることから、穿刺時及びその後の手の動作等によって皮膚上の血液や汗等が飛散しても外表面１２ａに付着することがない。
【００４７】
次いで制御部１０４により採取された血液の血糖値を求める演算を行う。すなわち、光学測定部１３０はパルス的な投光及び受光量の測定を継続しており、制御基板１５０では試験紙２８の変色に基づく受光量の変化により血液が含浸されたことを自動認識し、所定の演算処理により血糖値を求める。求められた血糖値は液晶モニタ１５２に表示するとともに、所定の記憶部に記憶し測定を終了する。
【００４８】
この後、図７に示すように、使用済みの穿刺針チップ１０ａを血液成分測定装置１２の装着穴１００から抜き出す。この際、カバー２２を裏返し、ハウジング１４と逆の方向（図７における左方向）に延出させて、当該カバー２２を把持して容易な脱着が可能となる。また、カバー２２の表面及び当接部２３は血液等で汚れている可能性があるが、カバー２２を裏返して逆方向に延出することにより、当接部２３はカバー２２で覆われ、カバー２２の表面は内向きとなり、穿刺針チップ１０ａを抜き出し又は廃棄する測定者又は医療事業者等はこれらの部分に触れる必要がなく、手を汚すことがない。
【００４９】
さらにこの後、電源スイッチ１５４をオフにして制御部１０４の動作を停止させる。抜き出された穿刺針チップ１０ａは医療廃棄物として所定の方法により廃棄する。
【００５０】
上記の穿刺針チップ１０ａのカバー２２におけるプリーツ構造は折れ筋が軸方向に延在するタイプであるが、図８及び図９に示す第２の実施形態に係る穿刺針チップ１０ｂのように、端部２００ｂに向かって順に大きくなる円形同心状の折れ筋を有する蛇腹構造のタイプのカバー２００を用いてもよい。このカバー２００は拡げたときには端部２００ｂに向かって拡径する略円錐台形状となることから、カバー２２と同様に、穿刺時に外表面１２ａを覆うことができる。
【００５１】
また、血液成分測定装置１２から抜き出す際には、当接部２３がカバー２００で覆われるとともに、カバー２００の表面は内向きとなり、測定者又は医療事業者等の手を汚すことがない。
【００５２】
さらにまた、カバー２００は、折り畳んで収縮させることができ、折り畳み形状に応じた個包装体５０に納めることができる。
【００５３】
次に、図１０及び図１１に示すように、第３の実施形態に係る穿刺針チップ１０ｃは、ハウジング１４と、穿刺針ユニット１８と、試験紙ホルダー２０と、カバー２２０とを有する。ハウジング１４には前記当接部２３に相当する部分がなく、代わりに、装着される側の血液成分測定装置２１２における装着穴１００の端部周辺に当接部２１４（図１２参照）が設けられている。
【００５４】
カバー２２０は、ハウジング１４の先端部に設けられ、薄く広い円形で柔軟性及び伸縮性を有する膜状部材からなり、外周部が内向き且つ多重に巻かれており、見かけ上小さい円形となっている。カバー２２０の材質としては、ゴムやエラストマーを挙げることができる。
【００５５】
血液成分測定装置２１２における当接部２１４は、前記当接部２３と同様に皮膚に当接する部分であり、皮膚に対して確実且つ適切に当接する。血液成分測定装置２１２は、当接部２１４を備えている以外には、前記血液成分測定装置１２と同構造である。
【００５６】
穿刺針チップ１０ｃを血液成分測定装置２１２に装着する場合には、先ず、前記の穿刺針チップ１０ａの装着と同様に、ハウジング１４を装着穴１００に挿入する（図１２参照）。
【００５７】
次に、図１３に示すように、カバー２２０における外周の巻取部を後方に向かって引きながら拡開させる。これにより、カバー２２０は適度な柔軟性及び伸縮性によって伸びながら当接部２１４における皮膚に対する接触面と、その周辺の外表面２１２ａに密着して覆う。カバー２２０は、適度な柔軟性及び伸縮性により血液成分測定装置２１２の側面を押圧して、密着した状態が保持され、自然に巻き戻されることがない。
【００５８】
次いで、前記の血液成分測定装置１２と同じ手順により穿刺及び血糖値の測定を行う。この際、皮膚上の血液や汗等は、カバー２２０によって遮られ、当接部２１４や外表面２１２ａに対して直接的に付着することはない。
【００５９】
さらに、使用後の穿刺針チップ１０ｃを引き抜く場合には、図１２に示すように、カバー２２０を裏返して反対方向に延在させておき、該カバー２２０を把持して引くことにより容易に引き抜くことができる。
【００６０】
このような、穿刺針チップ１０ｃにおけるカバー２２０によれば、当接部２１４や外表面２１２ａが比較的大きい場合であっても、適度に伸びて確実に覆うことができる。
【００６１】
なお、このようなカバー２２０は、前記穿刺針チップ１０ａのように当接部２３を含むチップにおいて、前記カバー２２の代わりとして設けてもよい。
【００６２】
上述したように、第１〜第３の実施形態に係る穿刺針チップ１０ａ〜１０ｃによれば、カバー２２、２００、２２０によって装着穴１００の周辺における外表面１２ａ、２１２ａ及び当接部２１４を清浄に保つことができる。なお、該カバー２２、２００、２２０は外表面１２ａ、２１２ａに対して密着している必要はなく、穿刺箇所Ｐの周囲の皮膚１８０に対して外表面１２ａ、２１２ａを遮るものであればよいことはもちろんである。
【００６３】
また、血液成分測定装置１２、２１２の寿命は相当に長いが、穿刺針チップ１０ａ〜１０ｃを用いることによって、長期間の使用を行っても外表面１２ａ、２１２ａ又は当接部２１４には汚れが付着しにくく、外観が損なわれることがなく、しかも一層衛生的であり、洗浄の手間が軽減される。
【００６４】
本発明に係る穿刺針チップは、上述の実施の形態に限らず、本発明の要旨を逸脱することなく、種々の構成を採り得ることはもちろんである。
【図面の簡単な説明】
【００６５】
【図１】血液成分測定装置の平面図である。
【図２】血液成分測定装置の断面側面図である。
【図３】第１の実施形態に係る穿刺針チップの断面側面図である。
【図４】第１の実施形態に係る穿刺針チップの斜視図である。
【図５】第１の実施形態に係る穿刺針チップを個包装体に収納した状態の断面側面図である。
【図６】第１の実施形態に係る穿刺針チップを血液成分測定装置に装着した状態の斜視図である。
【図７】第１の実施形態に係る穿刺針チップを血液成分測定装置から抜き出す状態の斜視図である。
【図８】第２の実施形態に係る穿刺針チップのカバーを収縮させた状態の斜視図である。
【図９】第２の実施形態に係る穿刺針チップのカバーを拡開させた状態の斜視図である。
【図１０】第３の実施形態に係る穿刺針チップのカバーを収縮させた状態の斜視図である。
【図１１】第３の実施形態に係る穿刺針チップのカバーを収縮させた状態の断面側面図である。
【図１２】第３の実施形態に係る穿刺針チップを血液成分測定装置から脱着する状態の斜視図である。
【図１３】第３の実施形態に係る穿刺針チップを血液成分測定装置に装着した状態の斜視図である。
【符号の説明】
【００６６】
１０ａ〜１０ｃ…穿刺針チップ
１２、２１２…血液成分測定装置（穿刺装置）
１２ａ、２１２ａ…外表面              １８…穿刺針ユニット
２０…試験紙ホルダー                  ２２、２００、２２０…カバー
２３、２１４…当接部                  ２６…血液流通路
２８…試験紙（センサー部）            ３４…穿刺針
５０…個包装体                        １０８…駆動用コイルスプリング
１１０…戻し用コイルスプリング        １２６…穿刺ボタン
１３０…光学測定部                    １５０…制御基板
１８０…皮膚
【図１】
2007044436.tif 000003
【図２】
2007044436.tif 000004
【図３】
2007044436.tif 000005
【図４】
2007044436.tif 000006
【図５】
2007044436.tif 000007
【図６】
2007044436.tif 000008
【図７】
2007044436.tif 000009
【図８】
2007044436.tif 000010
【図９】
2007044436.tif 000011
【図１０】
2007044436.tif 000012
【図１１】
2007044436.tif 000013
【図１２】
2007044436.tif 000014
【図１３】
2007044436.tif 000015